(57)【特許請求の範囲】
【請求項１】
板紙製のカートンの一パネルの端辺より２本の切り取り線によりジッパーを設け、該ジッパーの開始端である摘み部を摘んで前記ジッパーを引き裂いて前記カートンの所定の領域を開封することができ、前記摘み部の端辺と重なる前記カートンの折れ線上の一部又は全部に凹部を設けて前記摘み部と前記カートンとの間に間隙を形成してなるジッパー付きカートンであって、
前記凹部が、前記折れ線から前記ジッパー下パネル側に弧状に膨らんだ形状のジッパー下パネル弧状折れ線と、前記折れ線から前記側パネル側に弧状に膨らんだ形状の側パネル弧状折れ線を折り込むことにより形成され、前記側パネル弧状折れ線の前記折れ線からの最大高さが、前記ジッパー下パネル弧状折れ線の前記折れ線からの最大高さより大きいことを特徴とするジッパー付きカートン。
【発明の詳細な説明】
【技術分野】
【０００１】
本発明は、ジッパーによる易開封性が付与されたジッパー付きカートンに関するものであり、詳しくは、ジッパーを摘まみ易い形状としたジッパー付きカートン関するものである。
【背景技術】
【０００２】
従来からカートン、特にシールエンドカートンの天パネルあるいは胴部などを所定の形状に開封しようとする場合にジッパーが多用されている。図７は、従来のジッパー付きカートンの説明図である。図７−ａは天パネル１６のに中央に設けたジッパーＪを、摘み部Ｔから摘まんで引き裂いて除去することにより天部のパネルを開封するジッパー付きカートンＸの場合で、図７−ｂは胴部のパネルをまず平行して走るジッパーＪで摘み部Ｔから水平に引き裂いてから両側板をミシン目Ｍで切り離すことによって、後パネルのヒンジ（図示せず）によって開閉できる被せ蓋が形成されるジッパー付きカートンＹである。いずれのジッパーＪにおいても、ジッパーＪの先端部の摘む部分である摘み部Ｔが、指で摘みやすいように先端から切れ線ｔ、ｔが入れられて形成されている。
【０００３】
しかし、従来のジッパーにおいては、ジッパーを引き裂くために、摘み部Ｔを摘む場合、隙間がなく、爪を立てるなどして摘み部Ｔを摘まむ必要があり、一般の成人はもとより、老人、子供などにとっては、開封が難しいという問題がある。このような問題を解消するために、図７−ｃに示すように、ジッパーＪの摘み部Ｔの端辺の直下の折れ線ｈ上の一部に凹部Ｏを設けて摘み部Ｔの下に間隙を形成したジッパー付きカートンＺが提案されている（特許文献１を参照。）。
【特許文献１】特開２００３−１５５０２９
【０００４】
しかしながら、前述のジッパーＪの摘み部Ｔの端辺と重なる折れ線上の一部に凹部Ｏを設けて摘み部Ｔの下に間隙を形成したジッパー付きカートンＺでは、図８−ａのブランク１０Ｚを示す図、および図８−ｂの凹部Ｏの拡大図に示すように、凹部Ｏの側パネル弧状折れ線ｈ１４の折れ線ｈからの高さｔ１４とジッパー下パネル弧状折れ線ｈ２２の折れ線ｈからの高さｔ２２が同じであり、摘まみやすくするために、両側の側パネル弧状折れ線ｈ１４、ジッパー下パネル弧状折れ線ｈ２２の高さｔ１４、ｔ２２をより高くすると、カートンを組み立てる時に、側パネル弧状折れ線ｈ１４、ジッパー下パネル弧状折れ線ｈ２２を設けた折れ線ｈが折り曲げにくくなる。また、ジッパー付きカートンＺに組み立てた時に、凹部Ｏの角部が盛り上がり、天パネル１６および側パネル１４を大きく盛り上がらせる。特に、天折り込み片２２のジッパー下パネル弧状折れ線ｈ２２を高くすることにより、１．包装機で組み立てる時に、天折り込み片２２が折り曲げにくくなる。２．天折り込み片２２が膨らむことにより、天下パネル２０と天パネル１６との接着が不十分となったり、形状が変形しやすくなる危険性があり、その場合、ジッパーＪの機能を損なうことになり、保形性も悪くなる。３．天パネル１４の膨らみが大きくなり、積み重ねることが難しくなり、収納に支障をきたす。等の問題がある。
【発明の開示】
【発明が解決しようとする課題】
【０００５】
本発明のジッパー付きカートンは、上記の問題を解消すると共に、ジッパーの摘み部の端辺と重なる折れ線上の一部に凹部を設けて摘み部の下に間隙を形成した形状に改良を加えて、誰にでも摘みやすくカートンを開封しやすくしたジッパー付きカートンの提供を目的とするものである。
【課題を解決するための手段】
【０００６】
前記課題を解決するためになされた本発明は、板紙製のカートンの一パネルの端辺より２本の切り取り線によりジッパーを設け、該ジッパーの開始端である摘み部を摘んで前記ジッパーを引き裂いて前記カートンの所定の領域を開封することができ、前記摘み部の端辺と重なる前記カートンの折れ線上の一部又は全部に凹部を設けて前記摘み部と前記カートンとの間に間隙を形成してなるジッパー付きカートンであって、前記凹部が、前記折れ線から前記ジッパー下パネル側に弧状に膨らんだ形状のジッパー下パネル弧状折れ線と、前記折れ線から前記側パネル側に弧状に膨らんだ形状の側パネル弧状折れ線を折り込むことにより形成され、前記側パネル弧状折れ線の前記折れ線からの最大高さが、前記ジッパー下パネル弧状折れ線の前記折れ線からの最大高さより大きいことを特徴とするジッパー付きカートンである。
【発明の効果】
【０００７】
本発明のジッパー付きカートンによれば、ジッパーの摘み部の端辺が重なる位置のカートンの稜線の一部または全部に凹部を設けることにより、摘み部とカートンとの間に間隙が形成されるため、ジッパーを引き裂くための取っ掛かりである摘み部が誰にでも摘みやすくなっている上に、側パネル弧状折れ線の折れ線からの最大高さを、ジッパー下パネル弧状折れ線の折れ線からの最大高さより大きくすることにより、ジッパーの摘み部の下の間隙に指を入れやすく摘み部を摘まみ易くなるという効果がある。特に、ジッパーを設けたパネルにおいて、弧状折れ線の折れ線からの最大高さより大きくしないことにより、弧状折れ線の高さを高くすることにより凹部の角部がジッパーを設けたパネルを膨らませるために起こす、形状の変形、ジッパーの機能を損なう等の種々の問題を起こさせることがないという効果がある。また、凹部が正面から見た時に、広くなり、見た目にも指を入れることが分かりやすく、添えた時の指の感触もよいものとなるという効果を有している。
【０００８】
また、側パネルにおいても、凹部を設けた角部による盛り上がりが小さくなり、収納等の物流時での問題がなくなるという効果を有するものである。
【発明を実施するための最良の形態】
【０００９】
本発明の実施の形態について、図面を用いてさらに詳しく説明する。
【００１０】
図１は、本発明によるジッパー付きカートンの実施の形態の一実施例の斜視図である。本発明によるジッパー付きカートンＡでは、天パネル１６の上部にジッパＪーを設けている。そして、その先端部は先端から切れ線ｔ、ｔを入れて摘み部Ｔを形成している。さらに、その摘み部Ｔの端辺が重なるカートンの稜線には摘み部Ｔとカートンとの間に隙間を取るべく部分的に傾斜した凹部Ｏを形成している。
【００１１】
図２−ａは、図１のジッパー付きカートンＡのブランクの展開図である。ブランク１０Ａは、前パネル１１、側パネル１２、後パネル１３、側パネル１４、糊代片１５を折れ線ａ、ｂ、ｃ、ｄを介して連設している。そして、前パネル２の上辺には天パネル１６を折れ線ｅを介して連設し、下辺には底パネル１７を折れ線ｅを介して連設し、側パネル１２の上下辺には折り込み片１８、１９を折れ線ｆ、ｆを介して連設し、後パネル１３の上辺には天下パネル２０を折れ線ｇを介して連設し、下辺には底下パネル２１を折れ線ｇを介して連設し、側パネル１４の上下辺には折り込み片（ジッパー下パネル）２２、折り込み片２３を折れ線ｈ、ｈを介して連設している。
【００１２】
本発明によるジッパー付きカートンＡには、所定のピッチでＬ字状の２本の切り込みｊ、ｊで構成された開口用のジッパーＪを天パネル１６の中央部に設けている。そして、摘み部Ｔを持ち上げ、天パネル１６のジッパーＪを引き裂くことによって、天パネル１６が２分され開封することができる。
【００１３】
また、折れ線ｈの略中央部には、図２−ｂの部分拡大図に示すように、カートンに組み立てた時に、天パネル１６のジッパーＪの摘み部Ｔの端辺と重なる部分に、端辺より幅広い部分に側パネル１４と折り込み片（ジッパー下パネル）２２を折れ線ｈで直角に折り曲げた時に部分的に傾斜した凹部Ｏを形成するように、側パネル１４側に弧状に膨らんだ形状の側パネル弧状折れ線ｈ１４、および折り込み片（ジッパー下パネル）２２側に弧状に膨らんだ形状のジッパー下パネル弧状折れ線ｈ２２を設けている。すなわち、側パネル弧状折れ線ｈ１４およびジッパー下パネル弧状折れ線ｈ２２は凸レンズ形状としている。
【００１４】
また、本発明のジッパー付きカートンＡでは、側パネル弧状折れ線ｈ１４とジッパー下パネル弧状折れ線ｈ２２を折れ線ｈに対称に同じ形状で設けるのではなく、側パネル弧状折れ線ｈ１４をジッパー下パネル弧状折れ線ｈ２２より大きく、すなわち、側パネル弧状折れ線ｈ１４の弧の折れ線ｈからの最大高さｔ１４が、ジッパー下パネル弧状折れ線ｈ２２の弧の折れ線ｈからの最大高さｔ２２より大きい形状としていることが特徴である。側パネル弧状折れ線ｈ１４とジッパー下パネル弧状折れ線ｈ２２の形状を円弧状とした場合、ジッパー下パネル弧状折れ線ｈ２２の円弧の曲率半径を側パネル弧状折れ線ｈ１４の円弧の曲率半径より大きい形状とする。
【００１５】
側パネル弧状折れ線ｈ１４とジッパー下パネル弧状折れ線ｈ２２を折れ線ｈに対称に同じ形状で設けた場合には、図３−ａに示すように、側パネル１４と折り込み片（ジッパー下パネル）２２の角部において、凹部Ｏの傾斜角度、すなわち、凹部Ｏの面とジッパーＪの摘み部Ｔとの角度が略４５度に形成されるのに対して、本発明のジッパー付きカートンＡでは、図３−ｂに示すように、凹部Ｏの面とジッパーＪの摘み部Ｔとの角度αが４５度より大きい角度となり、ジッパーＪの摘み部Ｔの下の間隙に指を入れやすくなり摘み部を摘み易くなるという効果がある。また、側パネル１４において、凹部Ｏの角部の角度βが１３５度より大きくなり盛り上がりが少なくなり、流通時に変形したり、収納に支障をきたすという問題が減少する。
【００１６】
なお、凹部ＯのジッパーＪの摘み部Ｔ対する幅は、本実施例では、凹部Ｏの幅を摘み部Ｔの幅より広く設けているが、指の先で摘みやすくなれば、同じ幅あるいは狭い幅としてもよい。
【００１７】
また、凹部Ｏの形状は、ジッパーＪの端辺の重なる稜線とジッパーＪの摘み部Ｔとの間に間隙ができ、摘み部Ｔが摘み易いように陵線に凹み部を形成すればよく、本実施例では、側パネル弧状折れ線ｈ１４とジッパー下パネル弧状折れ線ｈ２２を弧状に設けて凹部Ｏを凸レンズ形状に形成しているが、凹部Ｏを凸レンズ形状に形成する形状以外にも、例えば、図４−ａに示すように菱形に折れ線を設けた形状、図４−ｂに示すように、六画形に折れ線を設けた形状、また、図４−ｃに示すように、側パネル弧状折れ線ｈ１４とジッパー下パネル弧状折れ線ｈ２２の中央部を省略した形状とすることもできる。いずれの形状においても、凹部Ｏを設けるための側パネル１４に設けた折れ線の折れ線ｈからの最大高さが、ジッパー下パネル２２に設けた折れ線の折れ線ｈからの最大高さより大きい形状とする。
【００１８】
図５は、本発明によるジッパー付きカートンの実施の形態の別の実施例の斜視図である。本発明によるジッパー付きカートンＢでは、正面パネル１の上部にジッパＪーを設けている。そして、その先端部は先端から切れ線ｔ、ｔを入れて摘み部Ｔを形成している。さらに、その摘み部Ｔの端辺が重なるカートンの稜線には摘み部Ｔとカートンとの間に隙間を広く取るべく凹部Ｏを形成している。
【００１９】
図６は、図５のジッパー付きカートンＢのブランクの展開図である。ブランク１０Ｂは、前パネル１１、側パネル１２、後パネル１３、側パネル１４、糊代片（ジッパー下パネル）１５を折れ線ａ、ｂ、ｃ、ｄを介して連設している。そして、前パネル２の上辺には天パネル１６を折れ線ｅを介して連設し、下辺には底パネル１７を折れ線ｅを介して連設し、側パネル１２の上下辺には折り込み片１８、１９を折れ線ｆ、ｆを介して連設し、後パネル１３の上辺には天下パネル２０を折れ線ｇを介して連設し、下辺には底下パネル２１を折れ線ｇを介して連設し、側パネル１４の上下辺には折り込み片２２、２３を折れ線ｈ、ｈを介して連設している。
【００２０】
本発明によるジッパー付きカートンＢには、所定のピッチでＬ字状の２本の切り込みｊ、ｊで構成された開口用のジッパーＪを前パネル１１および糊代片（ジッパー下パネル）１５に設けている。また、両側パネル１２、１４にはミシン目Ｍ、ＭをジッパーＪの上側の切り込みｊに連続して斜めに設けている。さらに、後パネル１３には、ミシン目Ｍ、Ｍに連続して水平に折れ線ｉを設けている。従って、摘み部Ｔを持ち上げ、前パネル１１のジッパーＪを引き裂き、両側パネル１２、１４のミシン目Ｍ、Ｍを引き裂くことによって、折れ線ｉをヒンジとして開閉可能な蓋部を形成することができる。
【００２１】
また、折れ線ｄには、カートンに組み立てた時に、前パネル１１のジッパーＪの摘み部Ｔの端辺と重なる部分に、端辺より幅広い部分に側パネル１４と糊代片（ジッパー下パネル）１５を折れ線ｄで直角に折り曲げた時に凹部Ｏを形成するように、折れ線ｄ１４および折れ線ｄ１５を側パネル１４側および糊代片（ジッパー下パネル）１５側に弧状に膨らんだ形状で設けている。つまり、折れ線ｄ１４および折れ線ｄ１５は凸レンズ形状となっている。
【００２２】
また、本発明のジッパー付きカートンＢでは、折れ線ｄ１４と折れ線ｄ１５を折れ線ｈに対称に同じ形状で設けるのではなく、折れ線ｄ１４を折れ線ｄ１５より大きく、すなわち、折れ線ｄ１４の弧の折れ線ｈからの最大高さが、折れ線ｄ１５の弧の折れ線ｈからの最大高さより大きい形状としていることが特徴である。このような形状とすることにより、ジッパー付きカートンＡと同様に、側パネル１４と糊代片（ジッパー下パネル）１５の角部において、凹部Ｏの傾斜角度、すなわち、凹部Ｏの面とジッパーＪの摘み部Ｔとの角度が、４５度より大きい角度となり、ジッパーＪの摘み部Ｔを摘まむ幅が広くなり摘み易くなるという効果がある。
【００２３】
さらに、前パネル１１の端辺のジッパーＪの両側に隣接する部分において、図６の部分拡大図に示すように、凹部Ｏを形成するための糊代片（ジッパー下パネル）１５の折れ線ｄ１５の形状に合せて切り欠けＰを設けた形状としてもよい。この形状にすることにより、摘み部Ｔがさらに摘みやすくなるとともに、外観的に好ましいものとなる。
【００２４】
なお、本実施例においても、凹部ＯのジッパーＪの摘み部Ｔ対する幅は、本実施例では、凹部Ｏの幅を摘み部Ｔの幅より広く設けているが、指の先で摘みやすくなれば、同じ幅あるいは狭い幅としてもよい。
【００２５】
また、凹部Ｏの形状は、ジッパーＪの端辺が重なる稜線にジッパーＪの摘み部Ｔが摘み易いように凹み部Ｏを形成すればよく、本実施例で示した凸レンズ形状以外にも、ジッパー付きカートンＡの場合と同様に、種々の形状とすることができる。
【産業上の利用可能性】
【００２６】
具体的な用例としては、菓子類、食品類等を収納したカートンで、開封しやすいように天パネルまたは側パネルにジッパーを設けている形状のカートンに広く使用することができ、特に、老人、子供が使用するカートンには好適に使用することができる。
【図面の簡単な説明】
【００２７】
【図１】本発明によるジッパー付きカートンの一実施例の斜視図である。
【図２】図１のジッパー付きカートンのブランクを示す展開図および凹部の部分拡大図である。
【図３】本発明によるジッパー付きカートンにおける凹部の概略断面図である。
【図４】本発明によるジッパー付きカートンにおける凹部の他の形状例を示す部分拡大図である。
【図５】本発明によるジッパー付きカートンの別の実施例の斜視図である。
【図６】図４のジッパー付きカートンのブランクを示す展開図である。
【図７】従来のジッパー付きカートンの斜視図である。
【図８】従来のジッパー付きカートンのブランクの展開図、および凹部の部分拡大図である。
【符号の説明】
【００２８】
Ａ      発明のジッパー付きカートン
Ｂ      本発明のジッパー付きカートン
Ｘ      従来のジッパー付きカートン
Ｙ      従来のジッパー付きカートン
Ｚ      従来のジッパー付きカートン
Ｊ      ジッパー
Ｍ      ミシン目
Ｔ      摘み部
Ｏ      凹部
１０Ａ  ブランク（本発明のジッパー付きカートンＡの）
１０Ｂ  ブランク（本発明のジッパー付きカートンＢの）
１０Ｚ  ブランク（従来のジッパー付きカートンＺの）
１１    前パネル
１２    側パネル
１３    後パネル
１４    側パネル
１５    糊代片
１６    天パネル
１７    底パネル
１８    折り込み片
１９    折り込み片
２０    天下パネル
２１    底下パネル
２２    折り込み片
２３    折り込み片
ａ〜ｉ  折れ線
ｈ１４  側パネル弧状折れ線
ｈ２２  ジッパー下パネル弧状折れ線
ｔ１４  側パネル弧状折れ線の折れ線ｈからの最大高さ
ｔ２２  ジッパー下パネル弧状折れ線の折れ線ｈからの最大高さ
ｊ      切り込み
ｔ      切れ線
【図１】
0004736627.tif 000002
【図２】
0004736627.tif 000003
【図３】
0004736627.tif 000004
【図４】
0004736627.tif 000005
【図５】
0004736627.tif 000006
【図６】
0004736627.tif 000007
【図７】
0004736627.tif 000008
【図８】
0004736627.tif 000009